(57)【特許請求の範囲】
【請求項１】
複合血液産物からの、選択された細胞成分の収量を予測する方法であって、
該複合血液産物を分離容器（６、３０１）内で遠心分離して、該複合血液産物を、少なくとも１つの選択された細胞成分と他の成分とに分離するステップと、
該分離された細胞成分又は他の成分のうちの１つを、該分離容器（６、３０１）から採取容器（３、４、５、３０２、３１５）に搾出(expressing)するステップと、
該搾出するステップ中に、該分離容器（６、３０１）から該採取容器（３、４、５、３０２、３１５）へ搾出される細胞成分又は他の成分の移動を感知して、該搾出された成分を示す信号を生成するステップと、
該信号から、該分離された細胞成分の収量を予測するステップと
を含み、
該搾出するステップは、該分離された細胞成分を搾出するステップを含み、該分離された細胞成分は血小板成分であり、
該予測された収量が、該分離された血小板成分をプールするのに望ましいかどうかを決定するステップと、
該予測された収量が望ましくない場合には、該分離された血小板成分の搾出を停止し、又は他の分離された成分の収集に有利となるように搾出を変更するステップと
をさらに含む、方法。
【請求項２】
前記搾出するステップは、前記分離容器を圧搾して、前記分離された細胞成分を搾出するステップを含み、該圧搾するステップは、液圧流体を流して該分離容器を圧搾するステップを含む、請求項１に記載の方法。
【請求項３】
前記感知するステップは、光電セルで前記分離された成分の移動を感知し、さらに、複合血液産物中の、前記分離された選択細胞成分と他の細胞成分の界面を光電セルで感知するステップを含む、請求項１に記載の方法。
【請求項４】
前記分離された細胞成分はバフィーコートを含む、請求項１に記載の方法。
【請求項５】
前記遠心分離するステップが、さらに、前記複合血液産物から血漿成分を分離するステップと、
前記血小板成分を搾出する前に、該血漿成分を前記分離容器から血漿採取容器に搾出するステップと
を含む、請求項１に記載の方法。
【請求項６】
前記移動を感知するステップは、さらに、前記信号の前縁及び後縁から、搾出された成分の体積を求めるステップを含み、前記予測するステップは、さらに、前記搾出される量から前記収量を予測するステップを含む、請求項１に記載の方法。
【請求項７】
前記予測するステップは、複数の複合血液産物からの複数の選択された細胞成分の収量を予測するステップを含む請求項１に記載の方法。
【請求項８】
複数のバフィーコート又は無作為の供血者からの血小板収集物を混ぜ合わせて、再輸血用(for reinfusion)の血小板製剤を実現する方法であって、
該血小板製剤に関して所望の血小板収量を決定するステップと、
請求項１から１１の何れか１項に記載の方法を使用して、該複数の収集物について、各収集物の血小板収量を予測するステップと、
選択された収集物の予測された血小板収量の合計が、該血小板製剤に関する所望の収量に近似するように、複数の収集物から特定の収集物を選択するステップと、
該選択された収集物を混ぜ合わせて、混合血小板産物を生成するステップと
を含む方法。
【請求項９】
前記収集物がバフィーコート収集物であり、さらに、
選択されたバフィーコート収集物の混合物から血小板を分離するステップと、
分離された血小板を収集して血小板産物を形成するステップと
を含む請求項８に記載の方法。
【請求項１０】
複合血液産物からの、選択された細胞成分の収量を予測するための装置であって、
分離容器（６、３０１）と、
少なくとも１つの採取容器（３、４、５、３０２、３１５）と、
該複合血液産物を該分離容器（６、３０１）内で遠心分離して、該複合血液産物を、該選択された細胞成分及び少なくとも１つの他の成分に分離するための遠心分離機と、
該分離された細胞成分又は該少なくとも１つの他の成分のうちの１つを、該分離容器（６、３０１）から該少なくとも１つの採取容器（３、４、５、３０２、３１５）に搾出するためのシステムと、
該搾出中に、該分離容器から該少なくとも１つの採取容器へ搾出される成分の移動を感知して、該搾出された成分の移動を示す信号を生成するためのセンサ（７３、３７４）と、
該信号から、該搾出された成分の収量を予測するための制御装置（８０、３９０）と
を備え、
該分離された細胞成分は血小板成分を含み、
該制御装置は、該予測された収量が、該分離された血小板成分をプールするのに望ましいかどうかを決定し、予測された収量が望ましくない場合には、該分離された血小板成分の搾出を、別の分離された成分の収集に有利となるように変更する、装置。
【請求項１１】
前記搾出用のシステムが、前記分離容器を圧搾して前記搾出成分を搾出するための油圧システムを備える請求項１０に記載の装置。
【請求項１２】
前記搾出された成分は前記分離された細胞成分を含み、該分離された細胞成分はバフィーコートを含む請求項１０に記載の装置。
【請求項１３】
前記搾出された成分は前記分離された細胞成分であり、前記センサは、前記分離された細胞成分層の前縁及び後縁を感知し、
前記制御装置は、該前縁及び該後縁から、前記搾出された分離細胞成分の体積を求め、前記制御装置は、前記体積から、前記分離された細胞成分の収量を予測する、請求項１０に記載の装置。
【請求項１４】
前記センサが、前記他の成分の移動を感知して、前記他の成分の体積を決定し、
前記制御装置が、前記複合血液産物の全体の体積から前記他の成分の体積を引いて、前記選択された細胞成分の体積を決定し、
該制御装置が、前記分離された細胞成分の体積から、該選択された細胞成分の収量を予測する、請求項１０に記載の装置。
【発明の詳細な説明】
【技術分野】
【０００１】
本発明は、ある体積の複合液体又は血液産物を少なくとも２つの成分に分離するための方法及び装置、並びに成分の少なくとも１つの収量を予測するための方法及び装置に関する。また、本発明は、バフィーコート又は無作為の供血者からの血小板収集物（ｒａｎｄｏｍ  ｄｏｎｏｒ  ｐｌａｔｅｌｅｔ  ｃｏｌｌｅｃｔｉｏｎｓ）を選択して、輸血のためのより一貫した又はより望ましい血小板産物を生産するための方法に関する。この方法はまた、処分すべきバフィーコート又は無作為の供血者からの血小板収集物を決定する一助となり得、別の成分に比べて１つの成分の採取を最適化するために使用することもできる。
【背景技術】
【０００２】
本発明の方法及び装置は、水性成分及び１以上の細胞成分を含む体液の分離に適している。例えば、本発明の可能な用途には、ある体積の全血から、血漿成分と、血小板を含む第１の細胞成分とを抽出することが含まれる。第１の細胞成分はまた、バフィーコート成分でもよい。本発明は、血小板製剤用にバフィーコート又は無作為の供血者からの血小板収集物をプールするときにも有用である。
【０００３】
欧州特許第１５６６１９１号は、様々な分離プロトコルに従って、ある体積の全血を少なくとも２つの成分に分離するための方法及び装置を記載する。例えば、１つのプロトコルは、ある体積の全血を、血漿成分、血小板成分及び赤血球成分に分離することを規定する。この装置は、様々なバッグセット、特に、血小板成分バッグ、血漿成分バッグ及び赤血球成分バッグに接続された全血用の環状分離バッグを有するバッグセットと協働するように適合された遠心分離機を備える。遠心分離機は、分離バッグを回転させて、中に含まれる全血を遠心分離するためのロータを含み、このロータは、分離バッグを支持するためのターンテーブルと、分離バッグに接続された成分バッグを収容するための中央コンパートメントとを有する。遠心分離機はさらに、分離バッグを圧搾し、血漿成分を分離バッグから血漿成分バッグに移送し、また血小板成分を血小板成分バッグに移送するための圧搾システムを備える。そのような血小板産物を収集する際には、収集される産物の収量を知る又は予測することが望まれることが多い。これは、血小板産物を輸血用に後で使用するのに重要であったり、そのような血小板産物を他の収集物と共にプールして無作為の供血者からの血小板産物を生成するのに重要となることもある。
【０００４】
さらに、２００７年１２月１２日出願の米国特許出願第１１／９５４３８８号は、少なくとも２つの別個の体積の複合液体を少なくとも２つの成分に分離する別の方法を記載する。
【０００５】
献血された全血から生成されるバフィーコートは、血小板及び白血球と、少量の赤血球及び血漿との混合物である。献血された全血中から採取される血小板の大部分は、バフィーコート層内にある。国際公開第２００４／０１８０２１号は、複合血液産物からバフィーコート及び血小板を分離するプロセスを記載する。投与量の血小板を生成するために、多くの献血血液からバフィーコートをプールし、遠心分離機内で再び回転して、血小板をバフィーコートの残りから分離する。
【０００６】
これらのプールされたバフィーコートの血小板は、血小板製剤の投与量を形成する。１つのプールされた血小板産物が、多数の収集物からのバフィーコート血小板を含むことができる。このプールされた血小板産物はまた、一貫した投与量を形成することが望まれる。米国特許第６３４８０３１号は、血小板投与製剤を実現するためにバフィーコートをプールするための装置を開示する。
【０００７】
均一で純粋な血小板投与製剤が望まれるこの背景に対して、本発明が創案されて開発された。
【発明の概要】
【発明が解決しようとする課題】
【０００８】
本発明の１つの目的は、治療目的のために予測可能な量の血小板を生成するための方法を提供することである。
【０００９】
本発明の更なる目的は、バフィーコート収集物又は血小板収集物における血小板の収量を予測するための方法及び装置を提供することである。
【００１０】
本発明の更なる目的は、複数のバフィーコート又は無作為の供血者からの血小板収集物を選択して、予測可能な血小板投与量を実現するための方法を提供することである。
【課題を解決するための手段】
【００１１】
本発明の方法は、血液産物を遠心分離して細胞成分を分離するステップと、細胞成分を採取容器に搾出するステップと、光電セルなどのセンサによって、採取容器への分離された細胞成分の移動を感知して、移動を示す信号を生成するステップと、当該信号から分離された細胞成分の収量を予測するステップとによって、複合血液産物から選択された血小板など細胞成分の収量を予測することを含む。
【００１２】
本方法は、更に、別の成分採取に有利となるように収集手順又は分離プロトコルを変更して、プールに不適切な血小板産物を収集しないようにし、その一方で、別の成分の採取を最適化することを含み得る。
【００１３】
また、バフィーコート又は無作為の供血者からの血小板収集物を選択して、所望の血小板産物を実現する方法も提供される。この方法は、複数の収集されたバフィーコート又は無作為の供血者からの血小板収集物の血小板収量を予測するステップと、所望の最終血小板製剤を実現するように、所望のバフィーコート又は無作為の供血者からの血小板収集物を選択するステップと、選択されたバフィーコート又は無作為の供血者血小板からの収集物を混ぜ合わせて、血小板投与量の点で血小板の所望の収量を達成するステップとを含む。
【００１４】
また、分離容器と、採取容器と、複合血液産物を分離容器内で遠心分離して複合血液産物を少なくとも１つの選択された細胞成分に分離するための遠心分離機と、分離された細胞成分を分離容器から少なくとも１つの採取容器に搾出するためのシステムと、搾出中に、分離容器から採取容器への分離された細胞成分の移動を感知して、細胞成分の移動を示す信号を生成するためのセンサと、当該信号から分離された細胞成分の収量を予測するための制御装置とを含む装置が提供される。
【図面の簡単な説明】
【００１５】
【図１】本発明による分離装置と協働するように設計された１組のバッグの概略図である。
【図２】図１のバッグセットの分離バッグの拡大図である。
【図３】本発明による分離装置の概略部分断面図である。
【図４】本発明による分離装置のロータの断面図である。
【図５】他の分離装置と協働するように設計された１組のバッグの概略図である。
【図６】他の分離装置のロータの部分断面図である。
【図７】他の分離装置の概略上面図である。
【図８】前縁及び後縁に印が付けられたセンサ信号を示す図である。
【図９】前縁及び後縁に印が付けられた別のセンサ信号を示す図である。
【図１０】測定された血小板収率を予測された値と比較するグラフである。
【図１１】マークされた面積を有するセンサ信号を示す図である。
【図１２】バフィーコート血小板から血小板産物を生成するための遠心分離機用のバッグセットの概略図である。
【図１３】無作為の供血者血小板から血小板産物を生成するための遠心分離機用のバッグセットの概略図である。
【図１４】血小板予測を伴う、バフィーコート及び無作為の供血者からの血小板の収集及びプールのプロセスを示すブロック図である。
【発明を実施するための形態】
【００１６】
分かり易くするために、全血を、３つの成分、すなわち血漿成分と、血小板若しくはバフィーコート成分と、赤血球成分とに分離することを含む、特定の用途に関して本発明を説明する。しかし、この特定の用途は例示にすぎないことを理解されたい。また、少なくとも２つの成分、又はさらには４つの成分を収集するためにこの原理を使用することもできることを理解されたい。
【００１７】
図１及び図２は、全血又は複合血液産物を、血漿成分（本質的に血漿を含む）と、血小板成分（本質的に血小板を含む）と、赤血球成分（本質的に赤血球を含む）とに分離するために適合された１組のバッグの一例を示す。後述するように、血小板成分はバフィーコート成分でもよい。このバッグセットは、可撓性の分離バッグ又は容器１と、それに接続された４つの可撓性のサテライトバッグ又は生産物容器若しくは収集容器２、３、４、５とを有する。分離バッグ１は、概して円形の外縁部７及び内縁部８を有する環状分離チャンバ６を有する。分離チャンバ６の円形外縁部７と円形内縁部８は、実質的に同心である。分離チャンバ６は、分離チャンバ６の内容物をサテライトバッグ５内に流出させるのを助けるために、分離チャンバ６の外縁部７から外方向に突き出た第１の鋭角の漏斗状延在部９を有する。分離チャンバ６はまた、分離された成分を、第１、第２及び第３のサテライトバッグ２、３、４内に注ぎ入れるのを助けるために、内縁部８からバッグ１の中心に向かって突き出た第２の鈍角の漏斗状延在部１０を有する。血小板収集物と共に単核成分が望まれる場合には、このバッグセットを使用して、単核成分をサテライトバッグ２内に収集することもできる。
【００１８】
さらに、分離バッグ１は、環状チャンバ６の内縁部８に連結された半可撓性の円板形状の連結要素１１を備える。円板型連結要素１１は、第２の漏斗状延在部１０に対面するその内縁部に、後述する遠心分離機のロータの３つのピンチ弁部材（図２に点線で概略的に示される）を部分的に取り囲むための３つの丸みのある凹部１２を備える。円板型連結要素１１は、分離バッグ１を遠心分離機のロータに連結するための一連の穴１３を有する。
【００１９】
サテライトバッグ２は、全血採取バッグである。サテライトバッグ２は、初めに、分離プロセスの前に、ある体積の全血又は複合液体（通常は約４５０ｍｌ）を供血者から受け取ることが意図されている。サテライトバッグ２は、平坦で実質的に矩形であり、その上側の隅に、バッグをつるすための穴１４を有する２つの補強耳部を備える。サテライトバッグ２は、サテライトバッグ２の上縁部に接続された第１の端部と、円形内縁部８の近くで第２の漏斗状延在部１０に接続された第２の端部とを有する、移送管又は配管又は管路２０によって分離バッグ１に接続される。ある体積の抗凝固液（典型的には、約４５０ｍｌの献血に対して約６３ｍｌのＣＰＤ液）を含む。移送管２０に取り付けられた脆弱コネクタ２１が、移送管２０を通る液体の流れを阻止し、抗凝固液がサテライトバッグ２から分離バッグ１内に流れるのを防止する。
【００２０】
さらに、このバッグセットは、一端でサテライトバッグ２の上縁部に接続され、他端にシース２３によって保護された針を有する採取管又は配管又は管路２２を備える。採取管２２には、クランプ２４が取り付けられている。
【００２１】
サテライトバッグ３は、血漿成分を受け取ることが意図されている。サテライトバッグ３は、平坦で実質的に矩形であり、その上側の隅に、バッグをつるすための穴１４を有する２つの補強耳部を備える。サテライトバッグ３は、移送管又は配管又は管路２５によって分離バッグ１に接続される。移送管２５は、サテライトバッグ３の上縁部に接続された第１の端部と、円形内縁部８の近くで第２の漏斗状延在部１０に接続された第２の端部とを有し、この第２の端部は、第２の漏斗状延在部１０の先端に関して第１の移送管２０の第２の端部と反対にある。
【００２２】
サテライトバッグ４は、血小板成分を受け取ることが意図されている。サテライトバッグ４はまた、以下に述べるようにバフィーコート成分を受け取ることもできる。サテライトバッグ４は、平坦で実質的に矩形であり、その上側の隅に、バッグをつるすための穴１４を有する２つの補強耳部を有する。サテライトバッグ４は、移送管又は配管又は管路２６によって分離バッグ１に接続される。移送管２６は、サテライトバッグ４の上縁部に接続された第１の端部と、第２の漏斗状延在部１０の先端に接続された第２の端部とを有する。
【００２３】
サテライトバッグ５は、赤血球成分を受け取ることが意図されている。サテライトバッグ５は、平坦で実質的に矩形であり、その上側の隅に、バッグをつるすための穴１４を有する２つの補強耳部を備える。サテライトバッグ５は、移送管又は配管又は管路２７によって分離バッグ１に接続される。移送管２７は、サテライトバッグ５の上縁部に接続された第１の端部と、第１の漏斗状延在部９の先端に接続された第２の端部とを有する。移送管２７は、それぞれ白血球除去フィルタ２８の入口及び出口に接続された２つの管部材を有する。分離バッグ１に接続された管部材には、クランプ２４が取り付けられている。サテライトバッグ５に接続された管部材は、破壊された時に、分離バッグ１とサテライトバッグ５の間を液体が流れるようにする脆弱コネクタ２９が取り付けられている。フィルタは、例えば、Ｐａｌｌ  Ｃｏｒｐｏｒａｔｉｏｎによって製造されているタイプＲＣＭ１のフィルタでよい。そのようなフィルタは、半径方向入口ポートと半径方向出口ポートが連結された円板形ケーシングを有する。ポリカーボネート（ＧＥ  Ｌｅｘａｎ  ＨＦ１１４０）からなるケーシングが、約１８ｍｌの内部容積を有する。このケーシングに、ポリエステル繊維の多層の不織布で構成された濾過媒体が充填される。しかし、他の製造業者による他のフィルタを使用することもできることを理解されたい。サテライトバッグ５は、赤血球用のある体積の保存液を含む。
【００２４】
血小板成分などの採取された成分をバッグ４ではなくバッグ３に採取することもできることを理解されたい。
【００２５】
図３及び図４は、ある体積の複合液体を遠心分離によって分離するための装置の一実施形態を示す。この装置は、図１及び図２に示される１組の分離バッグを受け取るように適合された遠心分離機と、分離された成分をサテライトバッグに移送するための成分移送システムとを備える。
【００２６】
遠心分離機は、軸受アセンブリ３０によって支持されたロータを備え、軸受アセンブリ３０は、ロータが垂直中心軸３１を軸として回転できるようにする。ロータは、上側の第１の部分３２と下側の第２の部分３３を備える円筒形ロータシャフトであって、シャフトの上側部分３２の一部が軸受アセンブリ３０を通って延在する円筒形ロータシャフトと、シャフトの上側部分３２の下端部に接続されたプーリ３４と、ロータシャフト３２、３３にその上端部で接続された、サテライトバッグを収容するための中央コンパートメント３５と、少なくとも１つのサテライトバッグを中央コンパートメント３５内部で規定の位置に支持するための、中央コンパートメント３５の内部に取り付けられた支持部材３６と、コンパートメント３５にその上端部で接続された、分離バッグを支持するための円形ターンテーブル３７とを備え、ロータシャフト３２、３３、コンパートメント３５、及びターンテーブル３７の中心軸が回転軸３１と一致し、ロータはさらに、ターンテーブル３７に固定されたバランスアセンブリ３８を備える。
【００２７】
さらに、遠心分離機は、中心垂直軸３１を軸としてロータを回転させるために、プーリ３４の溝に係合されたベルト４１によってロータに連結されたモータ４０を備える。
【００２８】
さらに、分離装置は、ピンチ弁部材４２、４３、４４（図２参照）を備え、これらはロータに取り付けられて、可撓性プラスチック管を通る液体の流れを選択的に阻止又は許可し、プラスチック管を選択的に封止し切断する。各ピンチ弁部材４２、４３、４４は、細長い円柱形状の本体と、溝を有するヘッドとを有し、溝は、静止状態の上顎部材と、開位置と閉位置の間で移動可能な下顎部材とによって画定され、下顎部材が開位置にあるときに、図１及び図２に示されるバッグセットの移送管２０、２５、２６の１つを溝にぴったりと係合させることができるように寸法設定されている。細長い本体は、下顎部材を移動させるための機構を含み、プラスチック管を封止して切断するのに必要なエネルギーを供給する無線周波数発生器に接続される。ピンチ弁部材４２、４３、４４は、それらの長手方向軸が同一平面にあってロータの中心軸３１に平行であり、それらのヘッドが中央コンパートメント３５の縁部の上に突き出るように、中央コンパートメント３５の周縁部に取り付けられる。分離バッグ１がターンテーブル３７に取り付けられたときの、分離バッグ１及びそれに接続された移送管２０、２５、２６に対するピンチ弁部材４２、４３、４４の位置が、図２に点線で示される。電力は、ロータシャフトの下側部分３３の周りに取り付けられたスリップリングアレイ４５を介してピンチ弁部材４２、４３、４４に供給される。
【００２９】
支持部材３６は、一般に、ロータの回転軸３１に対して傾斜した壁４６の一部分を構成する。傾斜した壁４６の上部にその上側部分により固定されたサテライトバッグは、ロータの回転中、遠心力によって、傾斜した壁４６に押し付けられ、サテライトバッグの下側部分はその上側部分よりも回転軸に近い。その結果、支持されたサテライトバッグ内に含まれる液体は、遠心力の下で、支持されたサテライトバッグから分離バッグ内に流出する。
【００３０】
ターンテーブル３７は、中央円錐台部分４７であって、そのより小さい上縁部がコンパートメント３５の縁部に接続された中央円錐台部分４７（図４参照）と、円錐台部分４７のより大きな下縁部に接続された環状平坦部分４８と、環状部分４８の外周縁から上方向に延在する外側円筒形フランジ４９とを備える。さらに、ターンテーブル３７は、丸天井形の円形の蓋５０を備え、この円蓋５０は、開位置と閉位置の間で枢動するようにヒンジによってフランジ４９に固定されている。蓋５０には、固定具５１が取り付けられ、固定具５１によって閉位置で固定することができる。蓋５０は環状内面を有し、環状内面は、蓋５０が閉位置にあるときにターンテーブル３７の円錐台部分４７及び環状平坦部分４８と共に、実質的に平行四辺形状の半径方向断面を有する円錐台環状コンパートメント５２を画定するように形作られる。固定体積を有する円錐台環状コンパートメント５２（以後「分離コンパートメント」）は、図１及び図２に示される分離バッグ１を収容することが意図される。
【００３１】
概してリング形状を有するバランスアセンブリ３８が、中央コンパートメント３５の上端部とターンテーブル３７の円錐台壁４７の間に広がる空間でロータに取り付けられる。バランスアセンブリ３８は、キャビティを画定するリング形状ハウジング５３を有し、キャビティの断面は、半径方向平面に沿って概して矩形である。さらに、バランスアセンブリは、ハウジング５３のキャビティの半径方向長さよりもわずかに小さい直径を有する複数の重いボール５４を備える。ボール５４は、互いに接触したときには約１８０度のハウジング５２の扇形部分を占める。
【００３２】
成分移送システムは、分離コンパートメント５２の内部にある分離バッグを圧搾し、分離された成分をサテライトバッグ内に移送又は搾出するための圧搾システムを備える。圧搾システムは、可撓性の環状隔膜５５を有し、隔膜５５は、ターンテーブル３７の円錐台部分４７と環状平坦部分４８に沿って位置するように形作られ、ターンテーブルに、そのより小さい円形縁部とより大きい円形縁部に沿って固定される。さらに、圧搾システムは、ロータシャフトの下側部分３３の下端部からターンテーブル３７までロータを通って延在する管路５７を通じて、可撓性の隔膜５５とターンテーブル３７の間に画定された拡張可能な液圧又は圧搾チャンバ５６の内外に液圧液体を注入又はくみ出す（ｐｕｍｐｉｎｇ）ための液圧ポンプステーション６０を備える。ポンプステーション６０は、回転式の流体連結部５８を介してロータ管路５７に流体接続された液圧シリンダ６２内で移動可能なピストン６１を有するピストンポンプを備える。ピストン６１は、ピストンロッドに連係された送りねじ６４を移動させるステッパモータ６３によって作動される。ステッパモータ６３は、離散増分又はステップ（ｄｉｓｃｒｅｔｅ  ｉｎｃｒｅｍｅｎｔｓ  ｏｒ  ｓｔｅｐｓ）で制御することができ、各ステップは、モータ６３の軸の何分の１かの回転に対応し、これは、ピストン６１の小さな直線的な排出量にも対応し、液圧チャンバ５６の内外に注入又はくみ出される（ｐｕｍｐｉｎｇ）液体の規定の小さな体積にも対応する。液圧シリンダ６２はまた、液圧シリンダ６２、ロータ管路５７及び拡張可能な液圧チャンバ５６を含む液圧回路の内外へ又はからの液圧液体の流れの導入又は引抜きを選択的に可能にするための弁６６によってアクセスを制御されている液圧液体リザーバ６５に接続される。圧力計６７が、液圧回路内部の液圧を測定するために液圧回路に接続される。
【００３３】
さらに、分離装置は、装置が動作するときに、分離バッグ１の内部で生じる分離プロセスの特性を検出するための少なくとも３つのセンサ７０、７１、及び７３（図２参照）を備える。望ましい場合には、追加のセンサを備えることもできることを理解されたい。３つのセンサ７０、７１、７３は、ロータの回転軸３１から異なる距離で蓋５０に埋め込まれ、センサ７３が回転軸３１に最も近く、センサ７１が回転軸３１から最も遠く、センサ７０は中間位置を取る。蓋５０が閉じられると、３つのセンサ７０、７１及び７３は、図２に示されるように分離バッグ１に面する。センサ７０は、第２の漏斗状延在部１０（血漿出口）に接続された管２５の端部の近くで分離チャンバ６の上方に位置決めされるように蓋５０に埋め込まれる。センサ７０は、気体／液体界面、血漿層と血小板若しくはバフィーコート層の界面、又は血小板若しくはバフィーコートと赤血球の界面を検出することができる。センサ７１（以後「外側センサ」）は、内縁部から分離チャンバの幅の約３分の２の位置で分離チャンバ６の上方に位置決めされるように蓋５０に埋め込まれて、第２の漏斗状延在部１０に対してずれた位置にあり、移送管２０、２６のそれぞれの端部よりも第２の移送管２５の端部に近い。外側センサ７１は、液体、例えば血液を検出することができる。センサ７３、即ち内側センサは、移送管２６（血小板又はバフィーコート出口）の近くに位置決めされる。このセンサは、血漿層に対する血小板又はバフィーコート層の前縁と、赤血球層の最上部に関連付けられる後縁を検出することができる。各センサ７０、７１、及び７３は、赤外ＬＥＤ及び光検出器を含む光電セルを備えることができる。電力は、スリップリングアレイ４５を介してセンサ７０、７１、及び７３に供給される。センサ７３、即ち血小板若しくはバフィーコートセンサに関して本発明を説明するが、同じ又は他の適切なセンサを使用して他の成分の収量も求めることができることを理解されたい。
【００３４】
反射又は透過される光を受け取る光センサや超音波センサなど任意のタイプの既知のセンサを使用することができる。センサは、中間成分、即ち血小板又はバフィーコートと、赤血球との界面を決定することができ、且つ対象の血液成分を見分けることができる必要がある。また、ただ１つのセンサを使用する場合、そのセンサが、血漿と中間成分の界面を検出することができる必要がある。しかし、中間層の前縁を検出するセンサと、後縁を検出するセンサの２つのセンサを使用することもできることを理解されたい。
【００３５】
さらに、分離装置は、制御ユニット（マイクロプロセッサ）及びメモリを含む制御装置８０を備え、メモリは、様々な分離プロトコル及びそのような分離プロトコルに従った装置の動作に関する情報及びプログラム命令をマイクロプロセッサに提供する。特に、マイクロプロセッサは、分離プロセスの様々な段階で回転させるロータの遠心速度に関する情報、及び分離された成分を分離バッグ１からサテライトバッグ２、３、４内に移送する様々な移送流速度（ｔｒａｎｓｆｅｒ  ｆｌｏｗ  ｒａｔｅ）に関する情報を受信するようにプログラムされる。様々な移送流速度に関する情報は、例えば、液圧回路内の液圧液体流速度として、又は液圧ポンプステーション６０のステッパモータ６３の回転速度として表すことができる。さらに、マイクロプロセッサは、直接又はメモリを介して、圧力計６７及び光電セル７０、７１、７３から情報を受信し、選択された分離プロトコルに沿って分離装置を動作させるために遠心分離機モータ４０、ステッパモータ６３、及びピンチ弁部材４２、４３、４４を制御するようにプログラムされる。さらに、マイクロプロセッサは、センサ７３の信号に基づいて収量を予測することができる。
【００３６】
献血された全血からの血液成分、すなわち血漿成分、血小板成分及び赤血球成分の分離を目的とする分離プロトコルの一例を以下に説明する。このプロトコルは、この他にも、全血バッグ２内に白血球も採取される４成分収集のために使用することもできる。同様に、このプロトコルは、より少ないサテライトバッグを用いて２成分採取のために使用することもできる。血小板産物ではなく、バフィーコート血小板を収集することもできる。
【００３７】
分離装置の動作を以下に説明する。
【００３８】
プロセスの始めに、図１のバッグセットのサテライトバッグ２は、ある体積の抗凝固処理された全血を含む（通常は約５００ｍｌ）。採取管２２は、サテライトバッグ２の近くで封止されて切断されている。サテライトバッグ５を分離バッグ１に接続する移送管２７にあるクランプ２４が閉じられる。４つのサテライトバッグ２、３、４、５は互いに重ねられ、この積み重なりを、サテライトバッグ２がバッグ装填部３６の傾斜した壁４６に隣接するようにバッグ装填部３６内に挿入する。サテライトバッグ２、３、４、５は、それらの上側耳部によって、傾斜した壁４６の上方でバッグ装填部３６の上部に固定される。この位置で、サテライトバッグ２、３、４、５は、実質的に、ロータの回転軸３１を含む平面の一方の側に位置され、ある体積の全血を含むサテライトバッグ２の下側部分が、それらの上側部分よりも回転軸３１に近い。
【００３９】
次いで、分離バッグ１がターンテーブル３７の上に乗せられ、中央コンパートメント３５の開口の周りでターンテーブル３７上に突起したピン（図示せず）が、分離バッグ１の円板状連結要素１１の穴１３に係合される。サテライトバッグ２を分離バッグ１に接続する移送管２０が、ピンチ弁部材４２に係合され、サテライトバッグ３を分離バッグ１に接続する移送管２５が、ピンチ弁部材４３に係合され、サテライトバッグ４を分離バッグ１に接続する移送管２６が、ピンチ弁部材４４に係合される。サテライトバッグ２と分離バッグ１の連絡を遮断している脆弱コネクタ２１が破壊される。ロータの蓋４９が閉じられる。
【００４０】
次に、ピンチ弁部材４２が開かれ、ピンチ弁部材４３、４４が閉じられる。ロータが、遠心分離機モータ４０によって稼働され、ロータの回転速度が、第１の遠心速度（例えば約１５００ＲＰＭ）に達するまで漸進的に増加される。外側セル７１が血液を検出したとき、サテライトバッグ３（後で血漿成分が移送される）に接続された移送管２５を通る流体の流れを制御する弁部材４３が所定の時間（例えば約３０秒）開かれて、血液が分離バッグ１の内部に流れ込むときに分離バッグ１から空気を排気できるようにする。
【００４１】
外側セル７１が、遠心分離プロセスの開始後に所定の期間内に血液を検出できなかった場合、制御ユニット８０は、ロータを停止させ、アラームを発生させる。これは、特に、脆弱コネクタ２１を破壊し忘れている場合に生じうる。
【００４２】
サテライトバッグ２の全内容物が分離バッグ１内に移送された後、ピンチ弁部材４２が開かれ、ピンチ弁部材４３、４４が閉じられる。ロータが、第１の回転速度（約１５００ＲＰＭ）で回転する。ポンプステーション６０が作動されて、液圧液体を一定の流速（例えば約２４０ｍｌ／分）で液圧チャンバ５６内に注入し、その結果、分離バッグ１を圧搾する。分離バッグ１内に存在する空気は、全血を収容していたサテライトバッグ２内に排出される。別法として、血漿が採取されていない場合には、空気を血漿バッグ３内に抜き出すことができる。センサ７０が空気／液体界面を検出してから所定の期間後に、ポンプステーション６０が停止され、ピンチ弁部材４２が閉じられる。少量の残留空気が分離バッグ１内に残る。
【００４３】
ロータの速度は、第２の高い遠心速度（例えば約３２００ＲＰＭ、いわゆる「ハードスピン」）に達するまで漸進的に増加され、その速度では、血液成分は所望のレベルで沈殿し、血漿はより低密度の成分であり、血小板又はバフィーコートは中間の密度の細胞成分であり、血球はより高密度の細胞成分である。
【００４４】
ロータは、所定の時間（例えば約２２０秒）第２の遠心速度で回転する。この時間は、分離チャンバ１内に初めに移送された全血のヘマトクリットに関わらず、所定の時間の終了時に、外側環状赤血球層のヘマトクリットが約９０となり、内側環状血漿層が実質的に細胞を含まなくなるまで血液が分離チャンバ１内部で沈殿するように選択される。より詳細には、この沈殿段階の結果、分離バッグ１は３つの層を示す。すなわち、血小板採取のためには、第１の内側層は主に血漿を含み、第２の中間層は主に血小板と、場合によってはいくらかの白血球を含み、第３の外側層は主に赤血球と、白血球（リンパ球、単核球、顆粒球）を含む。バフィーコートの採取のためには、第１の内側層は主に血漿を含み、第２の中間層は主に血小板と白血球、及び場合によっては少量の血漿及び赤血球を含む（バフィーコート）。第３の外側層は主に赤血球を含む。
【００４５】
所定の時間後、サテライトバッグ３へのアクセスを制御するピンチ弁部材４３が開かれる。ポンプステーション６０が作動して、液圧液体を一定の流速（例えば約１５０〜２２０ｍｌ／分）で液圧チャンバ５６内に注入する。拡張する液圧チャンバ５６が分離バッグ１を圧搾し、サテライトバッグ３内に血漿を移送及び搾出する。ピンチ弁部材４３は、内方向に移動する血漿と、血小板／単核細胞の界面とを中間センサ７０が検出してから所定の期間が経過した後に閉じられる。この段階の終了時では、血漿の全体積のほとんどがサテライトバッグ３内にある。
【００４６】
血漿成分の移送流速（これは液圧流体又は液体の流速に直接関係付けられる）は、血漿成分が血小板で汚染されるのを避けるために血小板層を乱さずにできるだけ速くなるように選択される。
【００４７】
中間層としての血小板で血小板を採取するプロトコルに関して、１つの血小板採取プロトコルのみを説明する。血小板収集を最大限にする、又はいくらかの血漿と共に血小板を収集するために、血漿を血小板と再混合させることもできることを理解されたい。
【００４８】
サテライトバッグ４へのアクセスを制御するピンチ弁部材４４が開かれ、ピンチ弁部材４２、４３は閉じられたままである。ロータは、３２００ｒｐｍで回転し続ける。ポンプステーション６０が作動し、液圧液体を血小板流速で液圧チャンバ５６内に注入又は流し、その結果、分離バッグ１が圧搾され、サテライトバッグ４内に血小板成分が移送又は搾出される。センサ７３は、血小板層の前縁を検出して、先立つ血漿レベルから区別する。血小板成分の移送流速（これは液圧流体の流量に直接関係付けられる）は、懸濁された血小板が沈殿するのを防止し、それと同時に血小板の活性を引き起こさないようにするのに十分に速くなるように選択される。
【００４９】
血小板層の後縁、又は懸濁された血小板と白血球／赤血球の界面をセンサ７３が検出してから所定の時間後、ポンプステーションが停止され、次いでピンチ弁部材４４が閉じられる。
【００５０】
白血球も採取される場合、ピンチ弁４２が開かれ、ピンチ弁部材４３及び４４は閉じたままである。ポンプステーション６０が作動して、液圧液体を白血球流速で液圧チャンバ５６内に注入してバッグ１を圧搾し、バッグ２内に白血球を搾出又は移送させる。また、液圧液体で搾出又は圧搾することによって赤血球を採取することもできることを理解されたい。
【００５１】
所望の成分の最終的な搾出後、ロータの回転速度が低下されてロータが停止し、ポンピングシステム６０が作動し、逆に動作して、速い流速（例えば約８００ｍｌ／分）で液圧チャンバ５６が実質的に空になるまで液圧チャンバ５６から液圧液体をくみ出し、ピンチ弁部材４２、４３、４４が作動して、移送管２０、２５、２６を封止し切断する。赤血球及び白血球（採取されない場合）は分離バッグ１内に残る。
【００５２】
ロータの蓋５０が開かれ、サテライトバッグ５に接続されている分離バッグ１が取り外される。移送管２７にあるクランプ２４が開かれる。サテライトバッグ５と白血球除去フィルタ２８の連絡を遮断する脆弱コネクタ２９が破壊される。サテライトバッグ５内に含まれている保存液が、重力によってフィルタ２８を通じて分離バッグ１内に流され、分離バッグ１内で赤血球と混合されて、赤血球の粘度を下げる。次いで、分離バッグ１の内容物は、重力排出によってフィルタ２８を通じてサテライトバッグ５内に流される。白血球（顆粒球、及び残留している単核球及びリンパ球）はフィルタ２８によって捕捉され、それにより、バッグ５内に最終的に収納された赤血球成分は白血球を実質的に含まない。分離バッグの重力排出は、液圧搾出による赤血球の採取の代替法である。
【００５３】
前述したように、本発明は、中間層としてバフィーコートを有するバフィーコートプロトコルも含む。上述したように、バッグ４又はさらにはバッグ３を使用して、さらなる処理のためにバフィーコート産物を収集することができる。すなわち、上述した装置及び方法を使用して、バフィーコート産物を全血から分離して収集することができる。バフィーコート産物が採取される形態では、血漿採取後、ピンチ弁４４が開かれ、ロータは、血小板収集に関するのと同じｒｐｍで回転し続ける。ポンプステーション６０が活動して、バフィーコートをバフィーコート流速で押出す。液圧流体は、分離バッグを圧搾して、サテライトバッグ４内にバフィーコート血小板を移送する。センサ７３は、バフィーコート収集物の前縁を検出する。後縁、即ちバフィーコート中の白血球と赤血球の界面をセンサ７３が検出してから所定の時間後、ポンプステーションが停止され、ピンチ弁部材４４が閉じられる。センサ７３が、顆粒球と赤血球の界面を検出し、それにより、単核細胞及び顆粒球並びに少量の赤血球及び血漿が血小板と共に採取されて、バフィーコートを形成する。
【００５４】
次いで、ロータの速度が低下され、ポンプステーションが逆に動作され、血小板採取プロトコルで説明したのと同様に管が封止され切断される。赤血球といくらかの顆粒球が分離バッグ内に残る。上述したように、任意選択で赤血球を濾過することができる。
【００５５】
次に、単一の装置で、複数のバッグ又は容器の複合液体をいくつかの成分に分離することができる他の分離装置及び方法を説明する。図５は、複合液体（例えば全血）を、第１の成分（例えば血漿成分）、中間成分（例えば血小板成分又はバフィーコート成分）、及び第２の成分（例えば赤血球成分）に分離するように適合された１組のバッグの一例を示す。このバッグセットは、可撓性の分離バッグ３０１と、そこに接続された３つの可撓性のサテライトバッグ３０２、３０３、３１５を備える。
【００５６】
Ｔ字形の３方向コネクタ３１６を備え、第１の管３０４によって分離バッグ３０１に接続された脚部と、第４の管３１７によって第１のサテライトバッグ３０２（血漿成分バッグ）に接続された第１の腕部と、第５の管３１８によって第３のサテライトバッグ３１５（血小板成分バッグ）に接続された第２の腕部とを有する。第１及び第２のサテライトバッグ３０２、３０３、並びに第３のサテライトバッグ３１５は、平坦で実質的に矩形である。バッグ３０３は、赤血球成分を受け取ることができる。
【００５７】
図６及び図７は、４つの別個の体積の複合液体を遠心分離によって同時に分離するための装置の一実施例を示す。装置は、図５に示されるバッグセットを４セット受け取るように適合された遠心分離機と（４つの別個の体積の複合液体が４つの分離バッグ内に含まれている）、少なくとも１つの分離された成分を各分離バッグからそれに接続されたサテライトバッグ内に移送するための成分移送システムと、４つの分離バッグの重量が異なるときに初めにロータのバランスを取るためのバランスシステムとを含む。
【００５８】
遠心分離機は、軸受アセンブリ３３０によって支持されているロータを備え、ロータが回転軸３３１を軸として回転できるようになっている。ロータは、プーリ３３３が接続された円筒形ロータシャフト３３２と、サテライトバッグを収容するための中央円筒形容器３３４を含み、当該容器３３４がロータシャフト３３２の長手方向軸と容器３３４の長手方向軸が回転軸３３１と一致するようにロータシャフト３３２の上端部に接続された貯蔵デバイスと、中心軸が回転軸３３１に一致するように中央容器３３４の上部に接続された円錐台ターンテーブル３３５とを備える。円錐台ターンテーブル３３５は、容器３３４の開口の下側で広がる。４つの同一の分離セル３４０が、回転軸３３１に関して対称的な配置を成すようにターンテーブル３３５に取り付けられる。
【００５９】
さらに、遠心分離機は、回転軸３３１を軸としてロータを回転させるために、プーリ３３３の溝に係合されたベルト３３７によってロータに連結されたモータ３３６を備える。
【００６０】
各分離セル３４０は、概して直方体形状の容器３４１を備える。分離セル３４０は、分離セル３４０それぞれの長手方向中心軸３４２が回転軸３３１に交差し、各分離セル３４０が回転軸３３１から実質的に同じ距離に位置され、且つ各分離セル３４０の長手方向中心軸３４２間の角度が実質的に同じである（すなわち９０度）ように、ターンテーブル３３５に取り付けられる。分離セル３４０が空のときにはターンテーブル上の重量が均等に分散されるように、すなわちロータのバランスが取られるように、ターンテーブル３３５上での分離セル３４０の正確な位置が調節される。これは、ターンテーブル３３５を幾何的に画定する円錐台の角度に等しい鋭角で分離セル３４０が回転軸３３１に対して傾斜している、ターンテーブル３３５上での分離セル３４０の配置による。
【００６１】
各容器３４１は、液体を満たされた図５に示されるタイプの分離バッグ３０１をゆったりと収容するように形状及び寸法を設定されるキャビティ３４３を有する。キャビティ３４３（以後「分離コンパートメント」とも呼ぶ）は、回転軸３３１から最も遠い底部壁と、ターンテーブル３３５に最も近い下側壁と、下側壁の反対側の上側壁と、２つの側壁とによって画定される。キャビティ３４３は、実質的に丸まった角を有する直方体形状を有し、底部壁から延在する主要部分と、実質的に先細りの三角形の底面を有するプリズム形状を有する上部とを備える。言い換えると、キャビティ３４３の上部は、キャビティ３４３の中央中心軸３４２に向かって狭まる２対の向かい合う壁によって画定される。この設計で興味深い点は、遠心分離後に、複合流体中のより少量の成分（例えば全血中の血小板）の薄層が半径方向に伸張し、分離バッグの上部でより簡単に検出できるようになることである。分離セル３４０の上部の２対の向かい合う壁は、容器３４１の上部で開口する３つの円筒形の平行チャネル３４４、３４５、３４６に向かって狭まり、分離バッグ３０１が容器３４１内にセットされたときに、３つの管３０４、３０５、３０６がそこに延在する。
【００６２】
容器３４１はまた、ヒンジ式の側方蓋３４７と、分離セル３４０内部で分離バッグ３０１を固定するためのピンなどの固定システムとを有することもできる。
【００６３】
分離装置は、さらに、少なくとも１つの分離された成分を各分離バッグからそこに接続されたサテライトバッグ内に移送するための成分移送システムを備える。成分移送手段は、分離コンパートメント３４３内にある分離バッグ３０１を圧搾し、分離された成分をサテライトバッグ３０２、３１５内に移送するための圧搾システムを備える。
【００６４】
圧搾システムは、各容器３４１に固定された可撓性の隔膜３５０を備え、拡張可能なチャンバ３５１を容器３４１のキャビティに画定する。より具体的には、隔壁３５０は、キャビティ３４３の底部壁、及びターンテーブル３３５に最も近いキャビティ３４３の下側壁の大部分に沿って位置するように寸法設定される。
【００６５】
さらに、圧搾システムは、周縁円形マニホールド３５２を備え、このマニホールド３５２は、ターンテーブル３３５の周縁の近くに延在するリングをターンテーブル３３５内部に形成する。各拡張チャンバ３５１は、それぞれの容器３４１の底部近くの壁を通って延在する供給チャネル３５３によってマニホールド３５２に接続される。
【００６６】
さらに、圧搾システムは、分離セル３４０内部で伸張可能チャンバ３５１の内外に液圧液体を導入又は引抜きをするための液圧ポンプステーション３６０を備える。液圧液体は、分離すべき複合液体中のより高密度の成分（例えば、複合液体が血液であるときは赤血球）の密度よりもわずかに高い密度を有するように選択される。その結果、遠心分離中、拡張可能なチャンバ３５１内部の液圧液体は、その体積に関わらず、一般に、分離セル３４０の最も外側の部分に留まる。ポンプステーション３６０は、ロータリシール３６９を介して、管路３５６によって拡張可能なチャンバ３５１に接続され、この管路３５６は、ロータシャフト３３２と、中央容器３３４の底部壁及び側壁を通って延在し、中央容器３３４の縁部から、ターンテーブル３３５を通って半径方向に延在し、そこでマニホールド３５２に接続する。
【００６７】
ポンプステーション３６０は、回転式の流体結合部３６３を介してロータ管路３５６に流体接続された液圧シリンダ３６２内で移動可能なピストン３６１を有するピストンポンプを備える。ピストン３６１は、ピストンロッドに連係された送りねじ３６５を移動させるステッパモータ３６４によって作動される。液圧シリンダ３６２はまた、液圧シリンダ３６２と、ロータ管路３５６と、拡張可能な液圧チャンバ３５１とを含む液圧回路内外への液圧液体の導入及び引抜きを選択的に可能にするための弁３６７によってアクセスを制御されている液圧液体リザーバ３６６に接続される。圧力計３６８が、液圧回路内部の液圧を測定するための液圧回路に接続される。
【００６８】
さらに、分離装置は、中央容器３３４の開口の周りでロータに取り付けられた４対の第１及び第２のピンチ弁部材３７０、３７１を備える。ピンチ弁部材３７０、３７１の各対は、１つの分離セル３４０に面し、その分離セル３４０と関連付けられる。ピンチ弁部材３７０、３７１は、可撓性プラスチック管を通る液体の流れを選択的に阻止又は許可し、プラスチック管を選択的に封止し切断するように設計される。各ピンチ弁部材３７０、３７１は、細長い円柱状本体と、溝３７２を有する頭部とを有し、溝３７２は、静止状態の上顎部材と、開位置と閉位置の間で移動可能な下顎部材とによって画定される。溝３７２は、下顎部材が開位置にあるときに、図５に示されるバッグセットの管３０４、３１７、３１８の１つを溝にぴったりと係合させることができるように寸法設定されている。細長い本体は、下顎部材を移動させるための機構を含み、プラスチック管を封止して切断するのに必要なエネルギーを供給する無線周波数発生器に接続される。ピンチ弁部材３７０、３７１は、それらの長手方向軸が回転軸３３１に平行であり、それらの頭部が容器３３４の縁部の上に突き出るように、中央容器３３４の内側に、中央容器３３４の内面に隣接して取り付けられる。この一対のピンチ弁部材３７０、３７１に関連付けられた分離セル３４０内に分離バッグ３０１が位置するときの、分離バッグ３０１及びそれに接続された管３０４、３１７、３１８に対する一対のピンチ弁部材３７０、３７１の位置が、図５に点線で示される。電力は、ロータシャフト３３２の下側部分の周りに取り付けられたスリップリングアレイ３３８を介してピンチ弁部材３７０、３７１に供給される。
【００６９】
さらに、分離装置は、装置が動作するときに、各分離バッグの内部で生じる様々な成分の分離を監視するための４対のセンサ３７３、３７４を備える。センサ３７３、３７４の各対は、容器３４１の長手方向中心軸３４２に沿って各分離セル３４０の容器３４１の蓋３４７に埋め込まれ、第１のセンサ３７３が、回転軸３３１の最も遠くに位置され、第２のセンサ３７４が、回転軸３３１の最も近くに位置される。分離バッグ３０１が容器３４１内に位置し、蓋３４７が閉じられるとき、第１のセンサ３７３（以後「バッグセンサ」）が、分離バッグ３０１の三角形部分に面し、第２のセンサ３７４（以後「管センサ」）が、第１の管３０４の近位端に面する。バッグセンサ３７３は、液体中の血球を検出することができる。管センサ３７４は、管３０４内の液体の有無を検出することができ、且つ液体中の血球を検出することができる。また、管センサ３７４は、血漿と血小板又はバフィーコートの間の界面又は前縁、並びに血小板及びバフィーコートと赤血球の間の界面又は後縁を見分けることもできる。各センサ３７３、３７４は、赤外ＬＥＤ及び光検出器を含む光電セルを備えることができる。電力は、ロータシャフト３３２の下側部分の周りに取り付けられたスリップリングアレイ３３８を介してセンサ３７３、３７４に供給される。
【００７０】
さらに、分離装置は、分離セル３４０内に収容される４つの分離バッグ３０１の重量が異なるときに初めにロータのバランスを取るためのバランスシステムを備える。バランスシステムは、実質的に、上述した成分移送システムの要素と同じ構造要素を有する。すなわち、周縁円形マニホールド３５２によって相互接続された４つの拡張可能な液圧チャンバ３５１と、円形マニホールド３５２に接続されたロータ管路３５６を通じて液圧チャンバ３５１内に液圧液体を導入又は引き抜きするための液圧液体ポンプステーション３６０とを有する。（４つの体積が等しくない及び／又は液体の密度が体積ごとにわずかに異なることがあるため）初めに同じ重量を有さないことがある４つの別個の体積を有する複合液体を４つの分離セル３４０が収容しているロータのバランスを取るために、ポンプステーション３６０は、分離プロセスの開始時に、相互接続された液圧チャンバ３５１内に、最もバランスの取れていない状況でロータのバランスを取るように選択された所定体積の液圧液体を注入するように制御される。全血に関して、バランスを取るためのこの体積の決定は、２つの献血血液間の体積の最大差、及び２つの献血血液間のヘマトクリット（すなわち密度）の最大差を考慮に入れる。遠心力の下で、液圧液体は、分離バッグ３０１の重量の差に依存して４つの分離セル３４０内に不均等に分布されて、ロータのバランスが取られる。最適な初期バランスを取ることができるように、相互接続された拡張チャンバ３５１内に規定の量の液圧液体が注入された後に、キャビティ３４３内に収容される分離バッグ３０１の容量に関わらずキャビティ３４３が満杯にならないように、分離セル３４０のキャビティ３４３の容量を選択すべきである。液圧液によってバランスを取ることを示したが、別法として、分離装置が、図３及び図４で参照番号３８で示されているものなどバランスリングを有することもできることに留意されたい。
【００７１】
さらに、分離装置は、制御ユニット（例えばマイクロプロセッサ）及びメモリユニットを含む制御装置３９０を備え、メモリユニットは、様々な分離プロトコル（例えば、血漿成分と血球成分の分離のためのプロトコル、又は血漿成分、血小板成分、及び赤血球成分の分離のためのプロトコル）及びそのような分離プロトコルに従った装置の動作に関する情報及びプログラム命令をマイクロプロセッサに提供するためのものである。マイクロプロセッサは、センサ３７４を含めたセンサに関する情報を受信し、且つ選択された分離プロトコルに沿って分離装置を動作させるように遠心分離機モータ３３６、ポンプステーション３６０のステッパモータ３６４、及び４対のピンチ弁部材３７０、３７１を制御するようにプログラムされる。また、制御装置は、センサ３７４に対する成分の移動から成分の収量を予測することもできる。
【００７２】
これらのセンサに関して注目すべき１つのオプションは、第２のセンサ３７４を、管自体に面するのではなく、分離バッグ３０１と第１の管３０４の接続部の近くで分離バッグ３０１の上部に面するように、容器３４１の蓋３４７に埋め込むことができることである。
【００７３】
図５、図６、及び図７の分離装置の動作を以下に説明する。
【００７４】
第１の分離プロトコルによれば、４つの別個の体積の血液が、血漿成分と、血小板、白血球、いくらかの赤血球、及び小さな体積の血漿を含む第１の細胞成分（以後「バフィーコート成分」）と、主に赤血球を含む第２の細胞成分とに分離される。各体積の血液は、図５に示されるバッグセットの分離バッグ３０１内に含まれており、事前に採取管３０５を使用して供血者から分離バッグ３０１内に採取されている。血液採取後、採取管３０５は、分離バッグの近くで封止されて切断される。
【００７５】
４つの分離バッグ３０１が、４つの分離セル３４０に装填される。蓋３４７が閉じられてロックされる。
【００７６】
Ｔ字コネクタ３１６を介して分離バッグ３０１を血漿成分バッグ３０２に接続する管３１７が、第１のピンチ弁部材３７０の溝３７２に挿入される。Ｔ字コネクタ３１６を介して分離バッグ３０１をバフィーコート成分バッグ３１５に接続する管３１８が、第２のピンチ弁部材３７１の溝３７２に挿入される。４つの血漿成分バッグ３０２、４つのバフィーコート成分バッグ３１５、４つの赤血球成分バッグ３０３、及び４つの白血球除去フィルタ３１３が、ロータの中央コンパートメント３３４内に挿入される。ピンチ弁部材３７０、３７１が閉じられ、分離バッグ３０１をＴ字コネクタ３１６に接続する管３０４の破壊可能なストッパ３０９が手動で破壊される。
【００７７】
すべてのピンチ弁部材３７０、３７１が閉じられる。ロータが、遠心分離機モータ３３６によって稼働され、ロータの回転速度が、第１の遠心速度でロータが回転するまで漸進的に増加される。ポンプステーション３６０が作動して、所定の全体積の液圧液体を一定の流速で４つの液圧チャンバ３５１内に注入する。この液体の全体積は、献血血液間の重量の最大変動を考慮して事前に決定され、それにより、液圧流体の注入後、様々な分離セル３４０の重量は実質的に等しく、実質的にロータのバランスが取られる。
【００７８】
バランスを取った後、すべてのピンチ弁部材３７０、３７１が閉じられる。ロータは、所定の時間第２の遠心速度で回転され（高い沈殿速度、即ち「ハードスピン」）、この時間は、分離バッグ１内の血液のヘマトクリットに関わらず、選択された期間の終了時に、外側赤血球層のヘマトクリットが約９０となり、内側血漿層が実質的に任意の細胞を含まなくなるまで血液が各分離バッグ３０１内で沈殿するように選択される。したがって、血小板及び白血球が、赤血球層と血漿層の間に中間層を形成する。
【００７９】
次いで、回転速度は、第３の遠心速度まで低下され、血漿成分バッグ３０２へのアクセスを制御する４つの第１のピンチ弁部材３７０が開かれ、ポンプステーション３６０が作動して、第１の一定の流速で液圧液体を液圧チャンバ３５１内に注入し、その結果、分離バッグ３０１を圧搾して、血漿成分バッグ３０２内に血漿を移送する。
【００８０】
分離セル４０内のバッグセンサ３７３によって血球が検出されたとき（ここでこのような検出が最初に生じる）、ポンプステーション３６０が停止され、対応する第１のピンチ弁部材３７０が、即座に、又は次の段階で搾出すべきバフィーコート成分において望ましい血漿の体積の観点で選択された所定の時間の後、閉じられる。
【００８１】
上述した血漿成分移送プロセスでは、４つの血漿成分の移送が同時に始まり、一部は同時に進み、各分離バッグ内での特定の事象（バッグセンサ３７３による血球の検出）の発生時にそれぞれ独立して停止する。
【００８２】
制御ユニット３９０は、血球を検出するための最後のバッグセンサ３７３から情報を受信すると、４つの第１のピンチ弁部材３７０を閉じた後に、バフィーコートの搾出を開始するようにプログラムされる。バフィーコートの初期流れが、管センサ３７４によって検出される。
【００８３】
この段階の開始時、回転速度は変わらず（第３の遠心速度）、バフィーコート成分バッグ３１５へのアクセスを制御する４つの第２のピンチ弁部材３７１のうちの最初のピンチ弁部材が開かれ、ポンプステーション３６０が作動して、第３の一定の流速で液圧液体を液圧チャンバ３５１内に注入し、その結果、開かれた第２のピンチ弁部材３７１に関連付けられた分離セル３４０内にある分離バッグ３０１を圧搾して、この分離バッグ３０１に接続されたバフィーコート成分バッグ３０２内にバフィーコート成分を移送する。前縁又は血漿とバフィーコートの界面が、センサ３７４によって感知される。
【００８４】
開かれた第２のピンチ弁部材３７１に関連付けられた分離セル３４０内の管センサ３７４によって赤血球又は後縁が検出されてから所定時間の後、ポンプステーション３６０が停止され、第２のピンチ弁部材３７１が閉じられる。
【００８５】
同じプロセスが、３つの残りの分離バッグ３０１からそれらに接続されたバフィーコート成分バッグ３０２内にバフィーコート成分を移送するために連続して行われる。
【００８６】
上述したバフィーコート成分移送プロセスでは、４つのバフィーコート成分の移送が連続的であり、連続する順序は事前決定される。しかし、第２、第３、及び第４の移送はそれぞれ、前の移送の最後に特定の事象（管センサ３７４による赤血球若しくは後縁の検出、又は第２の弁部材３７１の閉止）が発生した後に始まる。
【００８７】
制御ユニット３９０は、赤血球又は後縁を検出するための最後の管センサ３７４から情報を受信すると、４つの（第２の）ピンチ弁部材３７１を閉じた後に、遠心分離プロセスを停止するようにプログラムされる。
【００８８】
ロータの回転速度が低下されてロータが停止し、ポンプステーション３６０が作動されて、高い流速で液圧チャンバ３５１から液圧液体をくみ出して液圧チャンバ３５１を空にし、第１及び第２のピンチ弁部材３７０、３７１が、管３１７、３１８を封止し切断するように作動される。赤血球は分離バッグ３０１内に残る。
【００８９】
分離装置から取り外した後、赤血球を濾過することができる。
【００９０】
別の分離処置では、４つの別個の血液体積が、血漿成分、血小板成分、及び赤血球成分に分離される。
【００９１】
このプロセスは、より大きな第１の血漿部分が血漿バッグ３０２内に移送され、より小さな第２の血漿部分が分離バッグ３０１内に残る点を除き、上述したものと同様である。しかし、各分離バッグ３０１から、取り付けられた血漿成分バッグ３０２への血漿の搾出は、対応するバッグセンサ３７３が血球を検出した直後に停止され、それにより、分離バッグ３０１内に残る血漿の体積は、その中に血小板を再び懸濁できる程度には十分に大きい。
【００９２】
次いで、血小板成分が分離バッグ３０１内に準備され、第１及び第２の弁部材３７０、３７１が閉じられる。ロータが停止され、ポンプステーション３６０が作動して、ある体積の液圧液体を高い流速で液圧チャンバ３５１からくみ出す。次いで、所定の時間回転軸３３１を軸として前後に振動するようにロータが制御されて、最終的に、分離バッグ３０１内の細胞が実質的に血漿中に懸濁される。次いで、ロータが、遠心分離機モータ３３６によって再び稼働されて、ロータの回転速度が、第４の遠心速度（低い沈殿速度即ち「ソフトスピン」）に達するまで漸進的に増加される。ロータは、所定の時間第４の回転速度で回転され、この時間は、選択された時間の終了時に、稠密の赤血球を含む外側層と血漿中に懸濁された血小板を実質的に含む内側環状層とを分離バッグ３０１が示すまで血液が分離バッグ３０１内で沈殿するように選択される。
【００９３】
次いで、バフィーコートの移送と同様に、血小板成分が血小板バッグ３１５内に移送される。センサ３７４が、血小板層の前縁を検出し、赤血球を検出するときには血小板層の後縁を検出する。次いで、バフィーコート採取と同様に、遠心分離プロセスが終了される。
【００９４】
上述の実施形態に関して、本発明では、センサ７３及び３７４からの信号を使用して、血小板成分中又はバフィーコート成分中の血小板収量を予測することができる。この収量は、血小板又はバフィーコート層の前縁を決定するために血漿と対比させて細胞を示す初期センサ信号（７３、３７４）を使用することによって求めることができる。同じセンサ７３、３７４を使用して、赤血球の接近又は血小板若しくはバフィーコート層の後縁を示すことができる。信号間の距離、又は前縁と後縁の距離を使用して、センサ７３、３７４を流れて通る体積を推定することができる。体積が分かると、実験で測定された同様の体積に関する収量に基づいて収量を推定することができる。
【００９５】
図８及び図９は、センサ７３や３７４など光電セルによる前縁及び後縁の識別を示す。図８で、光電セル又はセンサの信号が参照番号４１０として識別される。信号は、時間と遠心分離機回転速度（ｒｐｍ）に関して示される。信号の前縁は、参照番号４０１で示され（センサ７３又は３７４を通る血小板又はバフィーコート）、後縁は、参照番号４０２で赤血球界面の接近を示す。
【００９６】
図９に関して、光電セル又はセンサの信号が、時間とｒｐｍに関して参照番号４１１で示される。前縁は、参照番号４０４での初期上昇であり、後縁は、参照番号４０５で示される。
【００９７】
上述した分離装置では、制御装置８０又は３９０は、それぞれ前縁４０１及び４０４と後縁４０２及び４０５の距離から体積を求めることができる。以前の実施及び実験に基づくことができる体積と収量の所定の相関により、所定の体積から収量が得られる。
【００９８】
図１０は、細胞計数器を使用して測定された収量（ｙ軸）と対比して、光電セル７３、３７４などの光電セルを通って搾出された体積の１０倍の関数としての予測値（ｘ軸）を示す。
【００９９】
血小板成分の収量に関する代替の予測方法は、センサ７３又は３７４の信号を積分するものである。図１１を見ると、例えば、丸で囲んだ領域が、血小板又はバフィーコートを搾出している状態、或いは血小板産物又はバフィーコート産物がセンサ７３又は３７４などのセンサの下を通っている状態を本質的に表す。ｘ軸は、プロセス中の時間を示し、ｙ軸は、遠心分離機のｒｐｍを示す。曲線の下の面積を、既知の方法、例えば領域の定積分を求めることによって求めることができる。信号を積分する又は曲線の下の面積を求める任意の既知の方法を使用することができ、一方法は、以下に示す台形公式に従うものである。この公式に従えば、面積は、実関数ｆ（ｘ）の積分形に等しい。
【数１】
0005554778.tif 000002
ｘ１及びｘ２は、近似すべき曲線の下の面積のｘ軸上での端点である。
【０１００】
制御ユニット８０又は３９０は、信号を積分して、又は上の数学的関係を使用して曲線の下の領域の定積分を求め、予測される血小板収量を求める。シンプソンの公式など他の面積予測公式を適用することもできることに留意されたい。
【０１０１】
この例では、開始産物又は複合流体がバフィーコート収集物に分離された。バフィーコート収集物は、開始産物の全体の体積、すなわち５５ｍＬ当たり、１２９７Ｅ３／μｌの濃度であった。図１１は、時間に対してプロットされたセンサ信号、液圧流量、及びｒｐｍ信号のグラフである。信号Ａは、光電セル７０又は３７３などの光電セルからの信号を表し、この信号は、所定の時間後に血漿採取の終了過程を開始する。信号Ｂは、光電セル７３又は３７４などの光電セルからの信号を表し、この信号は、血小板又はバフィーコートの搾出過程を開始する。信号Ｃは、ロータのｒｐｍのプロットである。信号Ｄは、液圧流量のプロットである。円で示されるように、信号Ａの降下（ｘ１）から信号Ｂの降下（ｘ２）までのスパイクにおける信号Ｂの曲線の下の面積を求めることで、採取されたバフィーコート中の血小板の中間層に関する予測される血小板の量が提供される。この例では、定積分を求めることで、７１．３Ｅ９の予測血小板量が得られる。
【０１０２】
本発明は、液圧流体を用いた成分の搾出を含む、圧搾システムの使用によって成分を移送するための方法を提供する。この予測方法は、光電セル信号を使用して、対象の細胞の前縁及び後縁を示し、そのような細胞の体積を求める。この体積から、収量が予測される。本発明は、血小板の移動及び採取を表すためにただ１つの光電セルを使用する。光電セルは、反射又は透過又は他の方法によって、細胞物質又は成分を見分けることができる既知のタイプのものであるべきである。
【０１０３】
同じ技法を他の成分に関して使用して、対象の成分の移動を表すセンサ信号からそれらの収量を予測することができることを理解されたい。
【０１０４】
本発明の装置及び方法に関して１つの光電セルだけを議論するが、本発明の教示に従う他の方法によっても、移動検出から、したがって体積決定から収量を予測することができることを理解されたい。
【０１０５】
例えば、光電セルのアレイを使用して移動を監視して、前縁又は後縁を決定することができる。また、アレイを用いない場合であっても、異なる光電セル又はセンサを使用して前縁又は後縁を検出することができる。すなわち、１つの光電セルを使用して前縁を検出し、別の光電セルを使用して後縁を検出することができる。別法として、細胞の層又は体積の他のものとの界面を検出するためにカメラ及びストロボを使用することができる。
【０１０６】
この技法は、光電セルを通って移動する成分の収量、及び分離容器又は分離槽内に残る任意の成分の収量を予測するために使用することができる。例えば、分離槽内への複合流体の導入、及びセンサに対する全複合流体の移動、並びに体積を求めるための他の方法によって、開始体積を求めることができる。同様に、搾出された成分の体積を、センサを通る移動に基づいて上述したように求めることもできる。残っている残留産物の体積は、全複合液体体積から搾出体積を引くことによって求めることができる。そのような体積から、成分の収量を予測することができる。
【０１０７】
本発明の技法はまた、血小板産物又はバフィーコート産物の採取よりも優先させて、他の成分の収集に重点を置く又は選択するために使用することもできる。したがって、初期化後に収集手順を変えることができる。血小板収集又はバフィーコート収集が不十分と評価された場合、操作者は、分離プロセスを行う機械、例えば事前に採取した全血を分離するための上述した装置に命令して、そのような血小板又はバフィーコート収集物を処理させたり、或いは赤血球の収集又はより大きな血漿の収集に有利となるようにプロセスの後続のステップを変えることができる。これらの変更を迅速に行うことができることにより、全プロセスに対する時間が全体として短縮される。同様に、機械制御装置自体が、センサ７３又は３７４から受信された情報に基づいてそのような調節を行うことができる。そのような変更は、血漿収集を最大にするためにより多くの血漿が血小板層内に採取されるように界面を変えることによって行うことができる。同様に、赤血球の収集を早期に始めて界面を調節することもでき、より多くの赤血球が血小板又はバフィーコート層内に入り、したがって失われる赤血球がより少なくなる。赤血球は、バフィーコート又は血小板産物となる予定であった部分を着色し、操作者に、血小板又はバフィーコート収集が省かれた又は抜き飛ばされたことを示す。制御装置８０、３９０がそのような調節を行ってもよいし、或いはセンサ７３又は３７４からの予測に基づき操作者入力によって調整されてもよい。
【０１０８】
上述したように、この方法は、バフィーコート分離中に使用することができる。すなわち、センサを使用して、バフィーコート中の血小板の体積を求めることができ、次いでその体積から、血小板の収量を予測することができる。これにより、バフィーコート収集物をより正確にプールして、最適な血小板投与量を実現することができる。すなわち、各バフィーコート収集物の血小板投与量を予測することができる。選択されたバフィーコート収集物で予測される血小板の合計が適切な血小板投与量を実現するように、適切なバフィーコート収集物を選択してプールすることができる。所要の血小板予測量を含まないバフィーコート収集物は廃棄して、他のバフィーコート収集物を採用することができる。
【０１０９】
次に、本発明をバフィーコートのプールに関して説明する。
【０１１０】
図１２が、バフィーコート採取用のバッグセットを開示する。このバッグセットは、バフィーコートをプールし、バフィーコート中に含まれる血小板を分離するための環状の可撓性バッグ又は分離容器１２２を有する。バフィーコート源バッグ又は容器１３７、１３８、１３９及び１４０は、推定された所望の血小板投与量を実現するように、上述した方法に従って予測された血小板含有量に基づいて選択される。選択後、環状バッグ１２２は、既知の方法によって、管路又は移送管１２５、１２６、１２７、及び１２８を介して可撓性のバフィーコート源バッグ１３７、１３８、１３９、及び１４０に無菌接続される。
【０１１１】
移送管１２５、１２６、１２７、及び１２８はコネクタ１２９によって接続されて、バフィーコート源バッグを管路又は移送管１３０を介して希釈液又は洗浄液源１２３に接続し、或いはバフィーコート源バッグを管路又は配管１３１を介してリングバッグ１２２に接続する。バッグ１２３は、遠心分離機（図示せず）内に取り付けられて、バフィーコート中の白血球及び残りの赤血球から血小板を分離する。参照番号１４５は、弁又は脆弱コネクタ又は他のタイプのクランプを提示し、これらは、初期には、希釈液又は洗浄液の流れを阻止する。
【０１１２】
リングバッグ又は環状バッグ１２２は、さらに、管路又は移送管１３２を介して、可撓性の血小板採取バッグ又は産物容器１３３に接続される。
【０１１３】
リングバッグ及び採取バッグ１３３が遠心分離機のロータの中又は上に配置された後、バフィーコートバッグの内容物の大部分が、コネクタ１２９を通ってリングバッグ１２２に入る。次いで、バッグ１２３からの希釈流体がバフィーコート源バッグ１３７、１３８、１３９、及び１４０に流れて、バッグ内の残存産物を希釈する。
【０１１４】
一般に、希釈のために、バフィーコート源バッグ１３７、１３８、１３９、及び１４０が撹拌される。十分な撹拌後、希釈された残りのバフィーコート産物が、コネクタ１２９及び移送管１３１を通ってリングバッグ１２２に流れる。
【０１１５】
この時点から先のプロセスは、上述した分離プロセスと同様になる。ロータが回転し始め、２００ｒｐｍまで速度上昇し、より重い赤血球から血小板産物を分離する。沈殿後、移送又は圧搾システムが、血小板産物をリングバッグ１２２から採取バッグ１３３に押し出し、又は搾出する。移送システムは、移送管１３２を介して血小板採取バッグ１３３に血小板産物を圧搾又は搾出する。
【０１１６】
多数のバフィーコート収集物は血液センター又は血液採取施設によって廃棄されることがあるので、特定のバフィーコート収集物中の血小板数を予測できることは、上述したプール処置でのバフィーコート収集物の選択を容易にする。上述の処置において、選択されたバフィーコートバッグが、バッグ１３７、１３８、１３９及び１４０のために使用される。
【０１１７】
図１３は、無作為の供血者からの血小板収集物をプールするためのバッグセットを示すが、バフィーコートをプールするために使用することもできる。このプールプロセスも、さらなる分離が必要ないこと以外は非常に類似している。バッグ又は容器２３７、２３８、２３９、２４０、２４１及び２４２内の無作為の供血者からの所望の血小板収集物が、それぞれ移送管２２５、２２６、２２７、２２８、２２９及び２３０に無菌接続される。このような無作為の供血者からの血小板収集物は、上述した方法によって求められた予測される血小板含有量に基づいて選択される。次いで、無作為の供血者からの血小板は、移送管２３１を通って最終的な採取バッグ又製剤容器２５０内に流出される。希釈流体又は血小板保存液（図示せず）を加えることもできる。
【０１１８】
バフィーコート採取と同様に、特定の無作為の供血者からの血小板収集物中の血小板数を予測できることは、上述したプール処置でのそのような無作為の供血者からの血小板産物の選択を容易にする。したがって、血液センターは、無作為の供血者からの選択される血小板収集物の予測される血小板収量の合計が、必要とされる血小板の投与量に近似するように、無作為の供血者からのどの血小板産物を廃棄するかを決め、他のものを選択することができる。
【０１１９】
図１４は、ブロック図の形態で、バフィーコート又は無作為の供血者からの血小板選択を含むバフィーコート及び無作為の供血者からの血小板（ＲＤＰ）の処理手順を示す。参照番号２００で示されるように、バフィーコート又は無作為の供血者からの血小板は、上述した装置などの分離装置内に採取される。バフィーコート又は無作為の供血者からの血小板はバッグ４又は３１５内に収集することができ、収集物について血小板予測量を提供するために光電セル７３又は３７４を使用することができる。
【０１２０】
次いで、参照番号２０２に示されるように、特定のバフィーコート又は無作為の供血者からの血小板収集物を、それらの血小板予測量及び輸血投与量として必要とされる既知の量に基づいて選択してプールすることができる。これらは、上述のプール手順で説明したようなプールのために利用されるバフィーコート又は無作為の供血者からの血小板であろう。また、非常に少量の血小板しか含まないバフィーコート又は無作為の供血者からの血小板収集物は、処分することを選択することができる。選択プロセスは、入力された血小板予測量に基づいて最適なプールを示す制御ユニット参照番号８０又は３９０などの制御ユニットを含むことができる。別法として、操作者が、各収集物についての血小板予測量を考慮して、所望の投与量又は最適な標準化を実現するように、バフィーコート又は無作為の供血者からの血小板収集物を手動で選択してプールすることもできる。
【０１２１】
図１２において上述した装置などの装置を使用して、参照番号２０３に示されるようにバフィーコート収集物をプールし、所望の最終産物又は投与量を実現することができる。図１３に関して説明した装置などの装置を使用して、参照番号２０３に示されるように無作為の供血者血小板を貯留することができ、所望の最終産物又は投与量を実現する。
【０１２２】
或いは、参照番号２０４に示されるように、血小板予測量が所望の範囲内にない場合には、上述した分離機のバフィーコート又は無作為の供血者血小板採取処置をやめて、別の（血漿又は赤血球などの）成分採取を行うことができる。
【０１２３】
本発明の予測技法を血小板及びバフィーコートに関して説明してきたが、血液産物の選択及びそれらの使用に関して予測情報を提供するために、他の成分の採取にも適用可能であると考えられる。
【０１２４】
本発明は、特定の貯留装置又は方法に依存しない。本発明の原理を、他の細胞分離技法及び他の貯留技法に適用することができることを理解されたい。
【０１２５】
本明細書に述べた装置及び方法に様々な修正を加えることができることは当業者に明らかであろう。したがって、本発明は、本明細書に論じた主題に限定されないことを理解すべきである。そうではなく、本発明は、修正形態及び変形形態を網羅するものと意図される。
【図１】
0005554778.tif 000003
【図２】
0005554778.tif 000004
【図３】
0005554778.tif 000005
【図４】
0005554778.tif 000006
【図５】
0005554778.tif 000007
【図６】
0005554778.tif 000008
【図７】
0005554778.tif 000009
【図８】
0005554778.tif 000010
【図９】
0005554778.tif 000011
【図１０】
0005554778.tif 000012
【図１１】
0005554778.tif 000013
【図１２】
0005554778.tif 000014
【図１３】
0005554778.tif 000015
【図１４】
0005554778.tif 000016